(57)【要約】【課題】分光特性が所定の分光特性となるように補正した上で照射面に光を照射することができる照明装置、および、これを備えた原稿読取装置、画像形成装置を提供する。【解決手段】読取部９０が備える光源９７Ａ及び蛍光体塗付層７３Ｄは、本発明の照明装置に相当する。光源９７Ａは、読取面に光を照射する。蛍光体塗付層７３Ｄは、光源９７Ａが照射した光が白色の分光特性となるように励起する蛍光体７３Ｅを含み、光源９７Ａから読取面に至る光路の一部を形成する。【選択図】図４
2010273074.tif 000002
【特許請求の範囲】
【請求項１】
光を発する光源と、
前記光源が照射した光が所定の分光特性となるように励起する蛍光材料を含む透過膜を基材表面に備え、前記光源から照射面に至る光路の一部を形成する透過手段と、
を備えた照明装置。
【請求項２】
前記光源は、列設された複数の白色ＬＥＤから成り、
前記透過手段に含まれる前記蛍光材料の含有率は、複数の前記白色ＬＥＤから照射される光が白色の分光特性に近付くように所定の領域ごとにそれぞれ設定されている、
請求項１に記載の照明装置。
【請求項３】
前記基材は、前記光源の光を前記照射面に向かって反射する反射部材であり、
前記透過手段は、前記光源の光を前記照射面へ反射する前記反射部材の反射面を被覆するように形成された透過膜である、
請求項１または２に記載の照明装置。
【請求項４】
前記基材は、前記光源の光を前記照射面に均等に照射する拡散部材であり、
前記透過手段は、前記拡散部材の少なくとも一部に設けられている、
請求項１または２に記載の照明装置。
【請求項５】
請求項１から４のいずれか１項に記載の照明装置と、
前記照射面を形成するとともに前記照射面と反対側の面が原稿の読取面を形成する透明部材と
前記読取面からの光を読み取る受光部と、
を備えた原稿読取装置。
【請求項６】
請求項５に記載の原稿読取装置と、
前記原稿読取装置で読み取った原稿の画像データに基づいて用紙に画像形成処理を実行する画像形成部と、
を備えた画像形成装置。
【請求項７】
複数の光源から読取面に至るそれぞれの光路の一部を成す透過膜を、前記光源が照射する光の分光特性が前記読取面に照射すべき所定の分光特性に近付くように励起する蛍光材料を含むインクを基材表面に吹き付けて形成する、照明装置の透過手段における透過膜の形成方法であって、
複数の前記光源から照射される光の分光特性に応じて前記インクの吹き付け量を設定する第１の工程と、
設定された前記インクの吹き付け量に応じて前記基材にインクを吹き付けて前記透過膜を形成する第２の工程と、
を備えた照明装置の透過手段における透過膜の形成方法。
【請求項８】
前記第２の工程において、前記予め設定された吹き付け量は、複数の前記光源がそれぞれ基材を照射する光の照射領域ごとに設定されている、
請求項７に記載の照明装置の透過手段における透過膜の形成方法。
【発明の詳細な説明】
【技術分野】
【０００１】
照射面に照射光を照射し被読取物の読取を行う照明装置、この照明装置を用いた原稿読取装置及び画像形成装置、並びにこの照明装置が備える透過手段に透過膜を形成する方法に関する。
【背景技術】
【０００２】
従来、画像形成装置の中には、原稿読取装置を備え、読み取った原稿の画像データに基づいて用紙に画像形成処理を実行するものがある。
【０００３】
このような原稿読取装置では、原稿の読取を行うために原稿に光を照射する照明装置を備えている。照明装置は、被読取物が載置された照射面に対し光を照射し、その反射光を受光素子に受光させて被読取物の読取を行なう。また、被読取物の読取を精度良く行うためには充分な光量の光を照射面に照射する必要がある。
【０００４】
そのため、照明装置の中には、光源が照射する光のうち発光面以外の部分から出力される、いわゆる漏れ光を照射面へ反射する反射部材をさらに設け、照射面に照射される光の光量を増加させたものがある（例えば、特許文献１参照。）。
【０００５】
また、一般に、被読取物の読取を精度良く行うためには、照明装置の仕様に応じた分光特性の光、例えば、白色光を照射面に照射する必要がある。しかし、光源の照射する光は必ずしも完全な白色光の分光特性を有するものではなく、その分光特性には一定の範囲でバラツキが存在する。このような分光特性のバラツキの影響を取り除くために、受光素子から出力されるＲ（レッド）、Ｇ（グリーン）、Ｂ（ブルー）の出力信号を補正した上で被読取物の読取を行っている。
【先行技術文献】
【特許文献】
【０００６】
【特許文献１】特開２００８−１７２５６２号公報
【発明の概要】
【発明が解決しようとする課題】
【０００７】
上記特許文献１に示す照明装置では、照射面に効率良く光を照射する点については考慮されているが、所定の分光特性に近づくように光源の照射する光を補正した上で照射面に光を照射し分光特性のバラツキを低減することについては考慮されていない。
【０００８】
そこで、本発明は、分光特性が所定の分光特性となるように補正した上で照射面に光を照射することができる照明装置、および、これを備えた原稿読取装置、画像形成装置を提供することを目的とする。
【課題を解決するための手段】
【０００９】
この発明の照明装置は、光源、透過手段を備えている。光源は、光を発する。透過手段は、光源が照射した光が所定の分光特性になるように励起する蛍光材料を含む透過膜を基材表面に備え、光源から照射面に至る光路の一部を形成する。所定の分光特性とは、照射面に照射すべき基準となる光の分光特性である。
【００１０】
この構成では、光源が発する光は蛍光材料によって所定の分光特性となるように励起されてから照射面に照射される。
【００１１】
この構成において、光源は列設された複数の白色ＬＥＤから成り、透過手段に含まれる蛍光材料の含有率は複数の白色ＬＥＤから照射される光が白色の分光特性に近付くように所定の領域ごとにそれぞれ設定されるものとすることが好ましい。これにより、複数の白色ＬＥＤから照射される光の分光特性にそれぞれ合わせて透過手段に含まれる蛍光材料の含有率が設定され、複数の白色ＬＥＤから照射される光をそれぞれ白色に近づけることができる。
【００１２】
この構成において、基材を光源の光を照射面に向かって反射する反射部材とし、透過手段は光源の光を照射面へ反射する反射部材の反射面を被覆するように形成された透過膜とすることが好ましい。これにより、光源の照射した光は、反射面に入射するときと反射面から出射するときに透過膜を通過するため、効率良く蛍光を生じさせることができる。
【００１３】
この構成において、基材を光源の光を照射面に均等に照射する拡散部材とし、透過手段は拡散部材の少なくとも一部に設けられるものとすることが好ましい。これにより、照射面に均等に光が照射される。
【００１４】
この発明の原稿読取装置は、上記発明のいずれかに係る照明装置、透明部材、受光部を備えている。透明部材は、照射面を形成するとともに照射面と反対側の面が原稿の読取面を形成する。受光部は、読取面からの光を読み取る。これにより、光源が発光した光を所定の分光特性となるように励起した後、励起された光を用いて原稿の読み取りを行なうことができる。
【００１５】
この発明の画像形成装置は、上記発明に係る原稿読取装置、画像形成部を備えている。画像形成部は、原稿読取装置で読み取った原稿の画像データに基づいて用紙に画像形成処理を実行する。これにより、所定の分光特性となるように光源が照射する光を励起してから照射面に照射し、照射面で読み取った原稿の画像データに基づいて用紙に画像形成処理を行うことができる。
【００１６】
この発明の照明装置の透過手段における透過膜の形成方法は、複数の光源から照射面に至るそれぞれの光路の一部を成す透過膜を光源が照射する光の分光特性が照射面に照射すべき所定の分光特性に近付くように励起する蛍光材料を含むインクを基材表面に吹き付けて透過膜を形成する方法であり、第１の工程、第２の工程を備えている。第１の工程は、複数の光源から照射される光の分光特性に応じてインクの吹き付け量を設定する。第２の工程は、設定されたインクの吹き付け量に応じて基材にインクを吹き付けて透過膜を形成する。
【００１７】
この構成では、基材表面に複数の光源からそれぞれ照射される光の分光特性に応じた吹き付け量のインクを塗布して透過膜が形成される。
【００１８】
このため、基材表面には複数の光源から照射される光の分光特性に応じた吹き付け量のインクが吹き付けられる。
【００１９】
この結果、照射面に至る光が照射面に照射すべき所定の分光特性に近づけることができる。
【００２０】
この構成の第２の工程において、予め設定された吹き付け量は、複数の光源がそれぞれ基材を照射する光の照射領域ごとに設定するものとすることが好ましい。
【００２１】
これにより、複数の光源から基材表面にそれぞれ照射される照射領域ごとに透過膜に含まれる蛍光材料の量を変更することができる。
【発明の効果】
【００２２】
この発明によれば、照射光が照射する光の分光特性のバラツキを低減した上で照射面へ光を照射し、被読取物の読取を精度良く行うことができる。
【図面の簡単な説明】
【００２３】
【図１】この発明の一実施形態に係る画像形成装置の正面断面の概略図である。
【図２】自動原稿搬送装置および読取部の周辺構成を示す概略図である。
【図３】スキャナヘッドの外観構成を示す斜視図である。
【図４】スキャナヘッド及び原稿載置台の断面構成を示す概略図である。
【図５】拡散板にスリットと白色ＬＥＤの位置関係を模式的に示す図である。
【図６】反射部材の断面構成を説明する概略図である。
【図７】反射部材に蛍光体塗付層を形成するために用いるインクジェットプリンタと白色ＬＥＤの分光特性を計測する分光光度計を示した図である。
【図８】反射部材に形成された蛍光体塗布層と白色ＬＥＤの位置関係を模式的に示す図である。
【図９】反射部材を白色ＬＥＤよりも基体部のスリットから離間する位置に設けた場合の反射部材周辺の構成を示す概略図である。
【図１０】拡散板を経由した光が上方の読取面へ直接照射されるように構成した場合におけるスキャナヘッドの断面構成を示す概略図である。
【図１１】（Ａ）は、白色ＬＥＤと向き合う面と反対側の面に蛍光体塗付層を設けた場合における拡散板の断面構成を示す図である。（Ｂ）は、拡散板が蛍光体を所定の比率で含有するように成形した場合の断面構成を示す図である。
【発明を実施するための形態】
【００２４】
この発明の一実施形態に係る画像形成装置１０について図面を参照しつつ詳細に説明する。
【００２５】
図１に示すように、画像形成装置１０は、画像形成部１１、自動原稿搬送装置１２、読取部（原稿読取装置）９０、制御部５０、を備え、画像データに応じて用紙に多色及び単色の画像形成処理を行なう複合機である。
【００２６】
自動原稿搬送装置１２は、画像形成部１１の上部に配置された読取部９０に原稿を逐次搬送する。
【００２７】
読取部９０は、透明ガラスからなる原稿台（透明部材）９３を端部に有し、逐次搬送される原稿が原稿台９３を通過するときに原稿を読み取る。読取部９０は、原稿台９３に隣接する位置に透明ガラスからなる原稿載置台（透明部材）９２をさらに有し、原稿載置台９２に載置された原稿の読み取りを行う。なお、原稿載置台９２、原稿台９３のうち、いずれか一方のみ有するものとしても良い。
【００２８】
画像形成部１１は、露光ユニット１４、中間転写ベルトユニット６０、定着ユニット７０、画像形成ステーション２０Ａ、２０Ｂ、２０Ｃ、２０Ｄ、給紙カセット１５、手差しトレイ１６、排紙トレイ１７、２次転写ユニット３０を有している。画像形成部１１は、用紙に画像形成処理を行なう。
【００２９】
画像形成ステーション２０Ａ、２０Ｂ、２０Ｃ、２０Ｄは、ブラック（Ｋ）、シアン（Ｃ）、マゼンタ（Ｍ）、イエロー（Ｙ）の各色のカラー画像に応じて配置され、同一の構成を備えている。各画像形成ステーション２０Ａ〜２０Ｄでは、各色に応じた４種類の潜像を形成する。なお、画像形成ステーション２０Ａ〜２０Ｄを備える例を挙げて説明しているが、画像形成装置１０の仕様に応じたカラーの潜像を形成する画像ステーションを備えるものとすれば良い。
【００３０】
ここでは、画像形成ステーション２０Ａを例に挙げて説明する。
【００３１】
画像形成ステーション２０Ａは、現像器２１、感光体ドラム２２、クリーナユニット２３、帯電器２４を有し、ブラック（Ｋ）のカラー画像に応じた潜像を形成する。
【００３２】
帯電器２４は感光体ドラム２２の表面を所定の電位に帯電させる帯電器である。帯電器２４及び現像器２１は、上記所定の電位に帯電された感光体ドラム２２の下方からレーザ光を照射した静電潜像を形成するために感光体ドラム２２を下方の空間と連通させる隙間を設けてそれぞれ配置されている。
【００３３】
現像器２１は、感光体ドラム２２にブラック（Ｋ）のトナーを供給し、感光体ドラム２２上に形成された静電潜像にトナーを吸着されて顕像化する。
【００３４】
クリーナユニット２３は、感光体ドラム２２周面に残留したトナーを回収し、導管を経由して排出する。
【００３５】
露光ユニット１４は、レーザ出射部及び反射ミラー等を備えたレーザスキャニングユニット（ＬＳＵ）である。露光ユニット１４は、帯電された感光体ドラム２２を入力された画像データに応じて露光することにより、その表面に画像データに応じた静電潜像を形成する機能を有する。
【００３６】
中間転写ベルトユニット６０は、感光体ドラム２２の上方に配置され、中間転写ベルト６１、中間転写ベルト駆動ローラ６２、中間転写ベルト従動ローラ６３、中間転写ローラ６４、及び中間転写ベルトクリーニングユニット６５を有している。
【００３７】
中間転写ベルト６１は、ＹＭＣＫ用の各色に対応して４つ並設されており、各画像ステーション２０Ａ〜２０Ｄ、中間転写ベルト駆動ローラ６２をこの順に経由する方向へそれぞれ回転する。
【００３８】
中間転写ローラ６４は、ＹＭＣＫ用の各色に対応して４本設けられている。各中間転写ローラ６４には、それぞれ約数百ボルト程度のプラス極性の転写バイアスが印加されている。一方、感光体ドラム２２に担持されるトナー像は、マイナス極性に帯電している。これにより、中間転写ベルト６１にトナー像を担持させている。なお、図中では、簡単の為、画像形成ステーション２０Ａに対応して配置された中間転写ローラ６４にのみ符号を付している。
【００３９】
中間転写ベルトクリーニングユニット６５は、残留トナーを拭き取るクリーニングブレードを有し、各中間転写ベルト６１に付着している残留トナーを回収する。これにより、中間転写ベルト６１に付着している残留トナーを回収することができる。
【００４０】
給紙カセット１５は、画像形成処理に使用する用紙が積層されており、露光ユニット１４の下側に設けられている。
【００４１】
手差しトレイ１６にも画像形成に使用する用紙を置くことができる。画像形成部１１の上方に設けられている排紙トレイ１７は、画像形成部１１で画像形成処理を行なった用紙を集積するためのトレイである。
【００４２】
画像形成部１１には、給紙カセット１５または手差しトレイ１６の用紙を２次転写ユニット３０や定着ユニット７０を経由して排紙トレイ１７に送る用紙搬送路が設けられている。
【００４３】
レジストローラ対３３は、用紙搬送路に沿って搬送されている用紙を一旦保持するものである。そして、各中間転写ベルト６１に担持されているトナー像を用紙の印刷位置を合わせるタイミングで用紙を上流側の各中間転写ベルト６１および２次転写ユニット３０の間に搬送する。
【００４４】
制御部５０は、読取部９０における原稿読取動作を制御する。制御部５０は、図示しない操作パネルを介して受け付けた入力操作に基づいて、第１読取モードおよび第２読取モードのいずれかで原稿の読み取りを実行する。制御部５０は、読み取った原稿の画像データに基づいて画像形成部１１に画像形成処理を実行させる。
【００４５】
図２に示すように、自動原稿搬送装置１２は、原稿トレイ８０、繰り出しローラ８１、搬送ローラ対８２、搬送ローラ対８３、排紙ローラ対８４、排紙トレイ８５を有している。
【００４６】
繰り出しローラ８１は原稿トレイ８０に載置された原稿を一枚ずつ繰り出す。繰り出しローラ８１が繰り出した原稿は、搬送ローラ対８２によって原稿台９３に面する位置を経由し、搬送ローラ対８３、排紙ローラ対８４を経て排紙トレイ８５へ排出される。
【００４７】
読取部９０は、スキャナヘッド９４、光学ユニット９６、受光部９５等を有している。
【００４８】
スキャナヘッド９４は、原稿載置台９２、原稿台９３の上面側の読取面に光を照射するとともに読取面からの反射光を所定の光路に沿って光学ユニット９６へ誘導する。光学ユニット９６は、レンズやミラー等からなる光学系を有し受光部９５へ読取面からの反射光を誘導する。なお、原稿載置台９２、原稿台９３の下面は本発明の照射面に相当する。
【００４９】
受光部９５は、複数のＣＣＤイメージセンサから成るラインセンサ及びラインセンサの受光面に光学ユニット９６が照射した光をそれぞれ結像させるレンズ等を有する縮小光学系である。
【００５０】
制御部５０は、原稿載置台９２に載置された原稿を読み取る第１読取モード、原稿台９３を逐次搬送される原稿を読み取る第２読取モードを有している。
【００５１】
第１読取モードのときには、制御部５０は、第１読取方向、すなわち原稿載置台９２の原稿台９３に隣接する端部から原稿台９３と離間する端部側へスキャナヘッド９４を水平に等速移動させつつ原稿の読み取りを行う。
【００５２】
第２読取モードのときには、制御部５０は、スキャナヘッド９４を原稿台９３の直下方に移動させ、逐次搬送される原稿を読み取る。
【００５３】
図３及び図４に示すように、スキャナヘッド９４は、Ｘ方向に移動可能に支持された基体部９４Lを有している。基体部９４Lには、基板９６Ａ、９６Ｂ、光源９７Ａ、９７Ｂ、反射部材７３Ａ、７３Ｂ、拡散板７２Ａ、７２Ｂ、ミラー９９がそれぞれ取り付けられている。図３では、反射部材７３Ａ、７３Ｂ、拡散板７２Ａ、７２Ｂの図示を省略している。反射部材７３Ａ、７３Ｂ、及び、光源９７Ａ、９７Ｂは、本発明の照明装置に相当する。
【００５４】
基体部９４Lには、原稿載置台９２、原稿台９３とミラー９９が対向するようにスリット９８が設けられている。これにより、読取面からの反射光は、ミラー９９へ誘導される。ミラー９９は、反射光を受光部９５へ導く。
【００５５】
基板９６Ａ及び基板９６Ｂは、スリット９８を挟んで向かい合うように配置されている。基板９６Ａ及び基板９６Ｂは、上面にそれぞれ設けられた光源９７Ａ、９７Ｂが照射する光がそれぞれ反射部材７３Ａ、７３Ｂに照射されるように傾けて基体部９４Lに取り付けられている。本実施形態では、２つの光源を備えている例を挙げているが、光源は光源９７Ａまたは光源９７Ｂのうちいずれか一方のみであっても良い。また、３つ以上の光源を備えるものとしても良い。
【００５６】
光源９７Ａ及び光源９７Ｂは、白色ＬＥＤ９７Ｃ、９７Ｄを基板９６Ａ、９６Ｂの上面に列設してそれぞれ構成されている。光源９７Ａ及び光源９７Ｂは、白色ＬＥＤ９７Ｃ、９７Ｄをそれぞれ等間隔に設けて構成されている。また、白色ＬＥＤ９７Ｃ及び白色ＬＥＤ９７Ｄはそれぞれ向かい合うように基板９６Ａ、９６Ｂの長手方向の位置を揃えて配置されている。本実施形態では、白色ＬＥＤを光源として用いる例を挙げているが、ハロゲンランプを光源として用いても良い。
【００５７】
反射部材７３Ａ及び反射部材７３Ｂは、基板９６Ｂ、９６Ａの上方の光源９７Ａ、光源９７Ｂが照射する主要光が上方に設けられた読取面に照射されるようにそれぞれ反射する。なお、図４では、主要光の光路を破線で示している。
【００５８】
拡散板７２Ａは光源９７Ａが照射した光が均等な照度で読取面に照射されるように光を拡散させる拡散板であり、光源９７Ａから反射部材７３Ａに至る光路の一部を形成するように長手方向の両端部を基体部９４Ｌに支持されている。
【００５９】
拡散板７２Ｂは、光源９７Ｂが照射した光が均等な照度で読取面に照射されるように光を拡散させる拡散板であり、光源９７Ｂから反射部材７３Ｂに至る光路の一部を形成するように長手方向の両端部を基体部９４Ｌに支持されている。
【００６０】
ここで、図５を用いて拡散板７２Ａの構成についてより具体的に説明する。拡散板７２Ｂについては、拡散板７２Ａと同様の構成であるため説明を省略する。
【００６１】
拡散板７２Ａの光源９７Ａと向き合う面には、光源９７Ａからそれぞれ照射される主要光の照射位置周辺に遮光部７２Ｓがそれぞれ設けられている。遮光部７２Ｓは、主要光の照射位置を中心とした黒色の縞模様である。上記黒色の縞模様は、主要光の照射位置から離れるに従って段階的に面積が小さくなるように設けられている。これにより、拡散板７２Ａを透過する光を拡散させ読取面へ照射される光の照度を均一なものとしている。
【００６２】
本実施形態では、拡散板７２Ａ、７２Ｂを用いて光源９７Ａ、９７Ｂの光を拡散させる例を挙げているが、装置の仕様に応じて光源の光を拡散させる必要がないのであれば拡散板を光路に設けないものとしても良い。
【００６３】
図６に示すように、反射部材７３Ａは、基材７３Ｂ及び蛍光体塗付層（透過手段）７３Ｄから成り、基材７３Ｂ及び蛍光体塗付層７３Ｄの間には反射面７３Ｃが設けられている。
【００６４】
反射面７３Ｃは、光源９７Ａから光が照射される面に形成されている。蛍光体塗付層７３Ｄは、反射面７３Ｃを被覆しており、照射光によって励起される蛍光体７３Ｅを含んでいる。蛍光体７３Eは、励起されると青色に発光する蛍光色素である。なお、図６に実線で示す線は、蛍光体塗付層７３Ｄに入射する紫外線を図示したものであり、１点鎖線は青色の可視光線を図示したものである。
【００６５】
蛍光体塗付層７３Ｄは、光源９７Ａの分光特性を予め測定し、光の三原色のうち出力成分が小さい色の成分が他の色の成分の強度と同程度となるように反射面７３Ｃに塗布したものである。例えば、白色ＬＥＤの照射光のうち青色成分の強度が弱い場合には、青色の蛍光を生じる蛍光色素、例えば、ぺリリンを含有するインクを吹き付けて蛍光体塗付層７３Ｄを形成する。なお、反射部材７３Ｂの構成は、反射部材７３Ａと同様である為、説明を省略する。本実施形態では、蛍光体塗布層は、蛍光色素を一種類だけ含有する例を挙げているが、例えば、蛍光色素を複数種類含有するものとしても良い。
【００６６】
ここで、図７及び図８を用いて蛍光体塗付層７３Ｄの形成方法について説明する。
【００６７】
分光光度計１１０は白色ＬＥＤ９７Ｃ、９７Ｄの分光特性を１つずつ測定する。分光光度計１１０で測定されたＬＥＤ９７Ｃ、９７Ｄの分光特性は逐次プリンタ１００に送信される。
【００６８】
プリンタ１００は、反射部材７３Ａに蛍光体塗付層７３Ｄを形成するためのインクジェットプリンタである。プリンタ１００は、予め設定された濃度の蛍光体７３Ｅを含有するインク溶液が装填されたインクヘッド１２０と、プリント処理を制御する制御部１０１等を備えている。なお、蛍光体７３Eを含有するインク溶液のみがインクヘッド１２０に装填されている例を挙げているが、複数種類のインク溶液を装填可能にインクヘッド１２０を設け、それぞれのインク溶液に異なる色に発光するインク溶液を装填しておくことも考えられる。この場合には、白色の分光特性により近付くように蛍光体塗布層を形成することができる。
【００６９】
本実施形態では反射部材７３Ａに蛍光体塗付層７３Ｄを直接形成する例を挙げているが、例えば、蛍光体塗付層７３Ｄを形成するシート体を用いるものとしても良い。この場合には、シート体に蛍光体塗付層７３Ｄを形成した後、反射部材７３にシート体を接着することで上記実施形態と同様の効果を得ることができる。また、この場合には、反射部材７３Ａにプリント処理を行なう機能を備えたプリンタ１００を用いる代わりに、汎用のインクジェットプリンタを利用して蛍光体塗付層７３Ｄを形成することができるという利点もある。
【００７０】
制御部１０１は、接続ケーブルを介して送信される分光光度計１１０で測定されたＬＥＤ９７Ｃ、９７Ｄの分光特性を測定された順に記憶する。なお、ＬＥＤ９７Ｃ、９７Ｄは測定された順番で基板９６Ａ、９６Ｂに取り付けられる。図８に示す領域Ｒ１、Ｒ２は、１番目に測定されたＬＥＤ９７Ｃ、２番目に測定されたＬＥＤ９７Ｃが光を照射する領域Ｒをそれぞれ示すものである。
【００７１】
制御部１０１は、各領域Ｒに対して吐出するインクの吐出量を各領域Ｒに光を照射するＬＥＤ９７Ｃ、９７Ｄの光の分光特性が白色の分光特性に近付くようにそれぞれ設定する。
【００７２】
これにより、反射部材７３Ａから読取面へ反射する光を白色光とすることができる。図８では、各ＬＥＤ９７Ｃの照射する領域Ｒをそれぞれ破線で囲って示している。各ＬＥＤ９７ＤについてはＬＥＤ９７Ｃと同様であるため図示を省略している。なお、本実施形態では、各ＬＥＤ９７Ｃが光を照射する領域ごとにインクの吐出量を切換える例を挙げているが、例えば、各ＬＥＤ９７Ｃが照射する光の分光特性の平均値と白色光の分光特性の差分から補正値を求め反射部材７３に塗布するインクの吐出量を設定するとことも考えられる。
【００７３】
上記実施形態では、図４に示すように、ＬＥＤ９７Ａ、９７Ｂよりもスリット９８に近接する位置に反射部材７３がそれぞれ配置されている例を挙げているが、図９に示すように、ＬＥＤ９７Ａ、９７Ｂよりもスリット９８から離間する位置に反射部材１７１Ｄ、１７１Ｃをそれぞれ配置するものとしても良い。この場合には、図９に１点鎖線で示す漏れ光も上方の読取面へ誘導することができるため、読取面に照射される光量を増加させることができる。
【００７４】
上記実施形態では、ＬＥＤ９７Ａ、９７Ｂが照射した光を反射部材７３Ａ、７３Ｂを用いて反射する例を挙げているが、例えば、図１０に示すように、拡散板７２Ａ、７２Ｂを経由した光が上方の読取面へ直接照射されるようにしても良い。この場合には、図１１（Ａ）に示すようにＬＥＤ９７Ａと向き合う面と反対側の面に蛍光体塗付層（透過手段）７９Ａを設ける。蛍光体塗付層７９Ａには、蛍光体７３Ａと同様の機能を有する蛍光体７８Ａが含まれている。これにより、上記実施形態に係る反射部材７３と同様の効果を得ることができる。なお、拡散板７２Ｂの構成は、拡散板７２Ａと同じ構成であるため説明は省略する。
【００７５】
また、図１１（Ｂ）に示すように、拡散板７２Ａが蛍光体７８Ａを所定の比率で含有するように構成するものとしても良い。
【００７６】
図３、図９、図１０において、符号「ＤＰ」は、原稿載置台９２に載置された原稿を示すものである。
【００７７】
上記実施形態では、複合機に装着された自動原稿搬送装置１２に備えられた読取部９０を例に挙げているが、例えば、被読取物に光を照射しその反射光を読み取る装置の光源部にも本発明の照明装置を適用することができる。また、原稿の読取機能のみを備えた原稿読取装置にも本発明の原稿読取装置を適用することができる。
【００７８】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図されている。
【符号の説明】
【００７９】
９０    読取部
７２Ａ、７２Ｂ    拡散板
７３Ａ、７３Ｂ    反射部材
７３Ｄ  蛍光体塗付層（透過膜）
９７Ａ、９７Ｂ    光源
【図１】
2010273074.tif 000003
【図２】
2010273074.tif 000004
【図３】
2010273074.tif 000005
【図４】
2010273074.tif 000006
【図５】
2010273074.tif 000007
【図６】
2010273074.tif 000008
【図７】
2010273074.tif 000009
【図８】
2010273074.tif 000010
【図９】
2010273074.tif 000011
【図１０】
2010273074.tif 000012
【図１１】
2010273074.tif 000013